(57)【特許請求の範囲】
【請求項１】
輝度信号と２つの色差信号からなるコンポーネント映像信号に対し、
デジタル放送受信側では、上記２つの色差信号の一方を、コピー禁止映像であることを示すコピー禁止情報に置き換え、もう一方の色差信号を、該他方の色差信号が上記コピー禁止情報に置き換えられていることを示す信号に置き換え、
記録装置側では、上記２つの色差信号の一つに、他方の色差信号が上記コピー禁止情報に置き換えられていることを示す信号を検出すると、該他方の色差信号を解析して上記コピー禁止情報を検出した場合、記録を行わずコピー禁止処理を行う、
ことを特徴とするコピー防止方法。
【請求項２】
入力映像データがコピー禁止映像であるかどうかを検出するコピーガード検出部と、
上記コピーガード検出部で入力映像データがコピー禁止映像であることを検出すると、２つの色差信号の一方を、コピー禁止映像であることを示すコピー禁止情報に置き換え、他方の色差信号を、上記一方の色差信号が上記コピー禁止情報に置き換えられていることを示す信号に置き換える情報付加部とを備えた、
ことを特徴とするデジタル放送受信装置。
【請求項３】
請求項１に記載のコピー防止方法において、
上記２つの色差信号の一方を、上記コピー禁止情報に置き換え、他方の色差信号を、上記一方の色差信号が上記コピー禁止情報に置き換えられていることを示す信号に置き換えることを、フィールド単位またはライン単位で行う、
ことを特徴とするコピー防止方法。
【請求項４】
請求項２に記載のデジタル放送受信装置において、
上記２つの色差信号の一方を、上記コピー禁止情報に置き換え、他方の色差信号を、上記一方の色差信号が上記コピー禁止情報に置き換えられていることを示す信号に置き換えることを、上記情報付加部はフィールド単位またはライン単位で行う、
ことを特徴とするデジタル放送受信装置。
【請求項５】
請求項１に記載のコピー防止方法において、
２つの色差信号の一方を上記コピー禁止情報に、他方の色差信号を、上記一方の色差信号が上記コピー禁止情報に置き換えられていることを示す信号に、フィールド単位で置き換えした後、
上記置き換えを行ったフィールドの色差信号に、該フィールドの一つ前のフィールドの色差信号を合成する、
ことを特徴とするコピー防止方法。
【請求項６】
請求項２に記載のデジタル放送受信装置において、
２つの色差信号の一方を上記コピー禁止情報に、他方の色差信号を、上記一方の色差信号が上記コピー禁止情報に置き換えられていることを示す信号に、フィールド単位で置き換えした後、上記置き換えを行ったフィールドの色差信号に、該フィールドの一つ前のフィールドの色差信号を合成する色差信号合成部を備えた、
ことを特徴とするデジタル放送受信装置。
【請求項７】
請求項１に記載のコピー防止方法において、
２つの色差信号の一方を上記コピー禁止情報に、他方の色差信号を、上記一方の色差信号が上記コピー防止情報に置き換えられていることを示す信号に、ライン単位で置き換えした後、
上記置き換えを行ったラインの色差信号に、該ラインの一つ前のラインの色差信号を合成する、
ことを特徴とするコピー防止方法。
【請求項８】
請求項２に記載のデジタル受信装置において、
２つの色差信号の一方を上記コピー禁止情報に、他方の色差信号を、上記一方の色差信号が上記コピー禁止情報に置き換えられていることを示す信号に、ライン単位で置き換えした後、上記置き換えを行ったラインの色差信号に、該ラインの一つ前のラインの色差信号を合成する色差信号合成部を備えた、
ことを特徴とするデジタル放送受信装置。
【請求項９】
請求項１、３、５または７のいずれかに記載のコピー防止方法において、
上記２つの色差信号の一方を上記コピー禁止情報に置き換え、もう一方の色差信号を、該他方の色差信号が上記コピー禁止情報に置き換えられていることを示す信号に置き換えるとき、それらを不定期間隔で置き換える、
ことを特徴とするコピー防止方法。
【請求項１０】
請求項２、４、６または８のいずれかに記載のデジタル放送受信装置において、
上記２つの色差信号の一方を上記コピー禁止情報に置き換え、もう一方の色差信号を、該他方の色差信号が上記コピー禁止情報に置き換えられていることを示す信号に置き換えるとき、それらを不定期間隔で置き換えするように制御する付加信号制御部を備えた、
ことを特徴とするデジタル放送受信装置。
【発明の詳細な説明】
【０００１】
【発明の属する技術分野】
本発明は、コピー禁止情報を含む映像データを輝度信号と２つの色差信号からなる映像信号として出力する場合にコピー防止を施す方法と、このコピー防止方法を施した映像信号を出力するデジタル放送受信装置に関するものである。
【０００２】
【従来の技術】
ＶＴＲ（ビデオテープレコーダ）の普及に伴い、テレビ放送を記録した映像データやＶＴＲで再生可能なソフトウェアを手軽に視聴することが可能になっている。最近では、デジタルＶＴＲやＤＶＤ（デジタルビデオディスク）の記録再生装置の進歩により高品質の映像データを再生することができる。一方、このように高品質の映像データを簡単に記録再生できるため著作権の保護が重要となっており、従来から様々な不正コピーの防止方法が施されている。
【０００３】
例えば、アナログ映像信号については、ＶＴＲとＴＶのＡＧＣ（オート・ゲイン・コントロール）の方式の相違、あるいはＡＰＣ（オート・フェイズ・コントロール）の特性の相違を利用してコピーを防止する方法がある。
【０００４】
【発明が解決しようとする課題】
しかしながら、従来のコピー防止方法は、色信号が変調された搬送波信号に対してのみコピー防止を施すことが可能であり、変調のかかっていない色信号に対してはコピー防止を施すことができなかった。即ち、図１５に示す変調されていない色差信号や原色信号からなるコンポーネントの映像信号に対しては最適なコピー防止方法が存在せず、これらの信号を簡単にコピーされてしまうという問題があった。
【０００５】
【課題を解決するための手段】
上記課題を解決するために、請求項１に記載のコピー防止方法は、輝度信号と２つの色差信号からなるコンポーネント映像信号に対し、デジタル放送受信側では、上記２つの色差信号の一方を、コピー禁止映像であることを示すコピー禁止情報に置き換え、もう一方の色差信号を、該他方の色差信号が上記コピー禁止情報に置き換えられていることを示す信号に置き換え、記録装置側では、上記２つの色差信号の一つに、他方の色差信号が上記コピー禁止情報に置き換えられていることを示す信号を検出すると、該他方の色差信号を解析して上記コピー禁止情報を検出した場合、記録を行わずコピー禁止処理を行う、ことを特徴とする。
【０００６】
請求項２に記載のデジタル放送受信装置は、入力映像データがコピー禁止映像であるかどうかを検出するコピーガード検出部と、上記コピーガード検出部で入力映像データがコピー禁止映像であることを検出すると、２つの色差信号の一方を、コピー禁止映像であることを示すコピー禁止情報に置き換え、他方の色差信号を、上記一方の色差信号が上記コピー禁止情報に置き換えられていることを示す信号に置き換える情報付加部とを備えた、ことを特徴とする。
【０００７】
請求項３に記載のコピー防止方法は、請求項１に記載のコピー防止方法において、上記２つの色差信号の一方を、上記コピー禁止情報に置き換え、他方の色差信号を、上記一方の色差信号が上記コピー禁止情報に置き換えられていることを示す信号に置き換えることを、フィールド単位またはライン単位で行う、ことを特徴とする。
【０００８】
請求項４に記載のデジタル放送受信装置は、請求項２に記載のデジタル放送受信装置において、上記２つの色差信号の一方を、上記コピー禁止情報に置き換え、他方の色差信号を、上記一方の色差信号が上記コピー禁止情報に置き換えられていることを示す信号に置き換えることを、上記情報付加部はフィールド単位またはライン単位で行う、ことを特徴とする。
【０００９】
請求項５に記載のコピー防止方法は、請求項１に記載のコピー防止方法において、２つの色差信号の一方を上記コピー禁止情報に、他方の色差信号を、上記一方の色差信号が上記コピー禁止情報に置き換えられていることを示す信号に、フィールド単位で置き換えした後、上記置き換えを行ったフィールドの色差信号に、該フィールドの一つ前のフィールドの色差信号を合成する、ことを特徴とする。
【００１０】
請求項６に記載のデジタル放送受信装置は、請求項２に記載のデジタル放送受信装置において、２つの色差信号の一方を上記コピー禁止情報に、他方の色差信号を、上記一方の色差信号が上記コピー禁止情報に置き換えられていることを示す信号に、フィールド単位で置き換えした後、上記置き換えを行ったフィールドの色差信号に、該フィールドの一つ前のフィールドの色差信号を合成する色差信号合成部を備えた、ことを特徴とする。
【００１１】
請求項７に記載のコピー防止方法は、請求項１に記載のコピー防止方法において、２つの色差信号の一方を上記コピー禁止情報に、他方の色差信号を、上記一方の色差信号が上記コピー防止情報に置き換えられていることを示す信号に、ライン単位で置き換えした後、上記置き換えを行ったラインの色差信号に、該ラインの一つ前のラインの色差信号を合成する、ことを特徴とする。
【００１２】
請求項８に記載のデジタル放送受信装置は、請求項２に記載のデジタル受信装置において、２つの色差信号の一方を上記コピー禁止情報に、他方の色差信号を、上記一方の色差信号が上記コピー禁止情報に置き換えられていることを示す信号に、ライン単位で置き換えした後、上記置き換えを行ったラインの色差信号に、該ラインの一つ前のラインの色差信号を合成する色差信号合成部を備えた、ことを特徴とする。
【００１３】
請求項９に記載のコピー防止方法は、請求項１、３、５または７のいずれかに記載のコピー防止方法において、上記２つの色差信号の一方を上記コピー禁止情報に置き換え、もう一方の色差信号を、該他方の色差信号が上記コピー禁止情報に置き換えられていることを示す信号に置き換えるとき、それらを不定期間隔で置き換える、ことを特徴とする。
【００１４】
請求項１０に記載のデジタル放送受信装置は、請求項２、４、６または８のいずれかに記載のデジタル放送受信装置において、上記２つの色差信号の一方を上記コピー禁止情報に置き換え、もう一方の色差信号を、該他方の色差信号が上記コピー禁止情報に置き換えられていることを示す信号に置き換えるとき、それらを不定期間隔で置き換えするように制御する付加信号制御部を備えた、ことを特徴とする。
【００２５】
このような構成によって、輝度信号と２つの色差信号からなるコンポーネント映像信号において、色差信号の一方にコピー禁止情報、他方に上記一方にコピー禁止情報があることを重畳させることによって、視聴者に意識させることなく、その映像がコピー可能かどうかを判断することができ、コンポーネント映像信号に対して、容易にコピー防止を施すことができる。という作用を有する。
【００２６】
【発明の実施の形態】
以下、図を参照しながら本発明によるコピー防止方法及びデジタル放送受信装置の実施の形態について説明する。本発明のコピーガードを施す映像信号とデジタル放送受信装置が出力する映像信号は、Ｙ／Ｕ／Ｖ、Ｙ／Ｐｂ／ＰｒやＹ／Ｃｂ／Ｃｒなどの１つの輝度信号と２つの色差信号からなる、いわゆるコンポーネントの映像信号である。以後、Ｕ，Ｐｂ，ＣｂとＶ、Ｐｒ，Ｃｒの一方を第一の色差信号、他方を第二の色差信号と呼ぶ。これは、どちらの組み合わせが第一の色差信号でも第二の色差信号でもよい。
【００２７】
（実施の形態１）
以下に、請求項１、請求項２、請求項３、及び請求項４に対応する、本発明の実施の形態１におけるコピー防止方法及びデジタル放送受信装置について、図１、２を用いて説明する。
まず、図２を用いて本実施の形態１におけるコピー防止方法について説明する。
【００２８】
図２は実施の形態１における、コピー防止を施した輝度信号及び色差信号の波形図の一つを示している。４は輝度信号に含まれるコンポーネントの映像信号における同期信号である、５は通常映像の色差信号を取り除き、第一の色差信号に重畳されたコピー禁止情報データ、６は第二の色差信号の水平帰線消去期間部分に重畳された、他方の色差信号にコピー禁止などの情報データが重畳されていることを示す信号である。
【００２９】
図１は、本発明の実施の形態１におけるデジタル放送受信装置のブロック図である。１は入力映像データや映像データなどと共に送られてくるシステム情報からコピーガード情報を検出するコピーガード検出部。２はコピー禁止映像の場合、出力するコンポーネントの映像信号にコピー防止を施す情報付加部。３は、コピーガード検出部１からの入力映像データを輝度信号と２つの色差信号からなるコンポーネント信号として出力するＭＰＥＧＤｅｃｏｄｅｒである。
【００３０】
次に、本実施の形態１におけるコピー防止方法の動作を説明する。
コピー禁止の映像データを輝度信号と２つの色差信号からなるコンポーネント映像信号として出力するとき、図２に示すように、第一の色差信号に対しては、通常映像の色差信号を取り除きコピー禁止情報データ５を重畳する。第二の色差信号に対しては、同期信号４に同期して水平帰線消去期間に第一の色差信号にコピー禁止情報などの情報データが重畳されていることを示す信号６を入れる。これは、水平帰線消去期間に限らず、同期信号に同期していなくても第一の色差信号にコピー禁止情報などの情報データが重畳されているを示す信号であれば、垂直帰線消去期間や映像期間に重畳してもよい。コンポーネント映像信号を記録する記録装置側では、色差信号を監視して、第二の色差信号から第一の色差信号にコピー禁止情報などの情報データが重畳されていることを示す信号を検出すると、第一の色差信号を解析する。第一の色差信号を解析してコピー禁止の情報データが重畳されていた場合、記録を行わずコピー禁止処理を行うことによりコピーを防止する。また、ＴＶ側でこのコピー防止を施したコンポーネントの映像信号を出力しても、色差信号だけにコピー禁止の情報データを重畳しているため視聴者の目にはほとんど認識されない。
【００３１】
次に、本実施の形態１におけるデジタル放送受信装置の動作を説明する。
図１に示すように、映像データはコピーガード検出部１に入力され、その映像がコピー禁止データかどうか、入力映像データや映像データなどと共に送られてくるシステム情報から判断される。入力映像データは、ＭＰＥＧＤｅｃｏｄｅｒ３に転送され、輝度信号と第一色差信号及び第二の色差信号のコンポーネント信号として出力される。入力された映像データがコピー禁止映像の場合、コピーガード検出部１は情報付加部２にコピー防止を施す信号を送り、情報付加部２は第一の色差信号にコピー禁止情報を重畳し、第二の色差信号には第一の色差信号にコピー禁止情報などの情報データが重畳されていることを示す信号を重畳する。
【００３２】
さらに、情報付加部２において、前述した第一の色差信号にコピー禁止情報を重畳し、第二の色差信号に第一の色差信号がコピー禁止情報などの情報データが重畳されていることを示す信号を重畳するとき、フィールド単位で重畳してもライン単位で重畳してもよい。フィールド単位で重畳することにより、コピー禁止情報以外の情報データを色差信号に重畳する場合に、より多くの情報データを重畳することができる。また、ライン単位で重畳することにより色差信号に情報データが重畳されていることを視聴者に認識されないようにすることができる。
【００３３】
このように、本実施の形態１のコピー防止方法及びデジタル放送受信装置によれば、コンポーネント映像信号の色差信号にコピー禁止情報を重畳することで、上記映像信号を画面上に出力した場合にも視聴者にほとんど認識されること無く、コピー禁止情報をコンポーネント映像信号に付加することができる。また、一方の色差信号にコピー禁止情報が重畳されているという情報を、他方の色差信号に重畳することによって、どちらの色差信号にコピー禁止情報が重畳されていても、正しく該コピー禁止情報を認識することができる。
【００３４】
（実施の形態２）
以下に、請求項５、請求項６、請求項７及び請求項８に対応する、本発明の実施の形態２におけるコピー防止方法及びデジタル放送受信装置について、図３、４を用いて、説明する。
図３は、実施の形態２における第一の色差信号の波形図を示している。７は第一の色差信号の前フィールドの色差信号、８は前フィールドの色差信号７とコピー禁止情報５を合成した信号である。
【００３５】
図４は、本発明の実施の形態２におけるデジタル放送受信装置のブロック図である。９は、コピー禁止情報を重畳した色差信号にこの情報を重畳した前フィールドの色差信号を保持し合成する、色差信号合成部である。実施の形態２におけるデジタル放送受信装置のその他の構成は、実施の形態１の構成と同一である。
【００３６】
実施の形態１では、実際の映像の色差信号を取り除いてコピー禁止情報を重畳した。しかし、色差信号を取り除いているため、色差信号にコピー禁止の情報が重畳されていることが視聴者の目に認識される可能性がある。そこで、本実施の形態２では、図３に示すように、色差信号合成部９でコピー禁止情報を重畳した第一の色差信号５に、上記情報を重畳した一つ前のフィールドの第一の色差信号７を合成して、前フィールドとコピー禁止情報を合成した第一の色差信号８を作成する。これによりＴＶ側で出力するとき、前フィールドの色差信号を合成しているため、色差信号にコピー禁止などの情報データが重畳されていることをさらに視聴者に認識されないようにすることができる。コンポーネント映像信号を記録する記録装置側では、第一の色差信号８を解析するとき、前フィールドの第一の色差信号７を用いて合成信号である第一の色差信号８を解除して情報データだけを取り出して解析する。この解除は、合成信号である第一の色差信号８が前フィールドの色差信号で合成されているため容易に行える。
【００３７】
次に、図４を用いて実施の形態２におけるコピー防止を施した映像信号を出力するデジタル放送受信装置に動作ついて説明する。
コピーガード検出部１でコピー禁止映像であることを検出すると、コピーガード検出部１は情報付加部２と色差信号合成部９に対して、コピー防止を施す信号を送る。情報付加部２で、ＭＰＥＧＤｅｃｏｄｅｒ３から出力された第一の色差信号にコピー禁止情報を重畳し、第二の色差信号に第一の色差信号がコピー禁止情報などの情報データが重畳されていることを示す信号を重畳した後、色差信号合成部９にこれらの色差信号を送る。色差信号合成部９では、前フィールドの第一の色差信号を保持しておき、コピーガード検出部１からコピー防止を施す信号がくると、コピー禁止情報データを入れた第一の色差信号に、保持している前フィールドの第一の色差信号を合成する。
【００３８】
また、この動作はフィールド単位だけでなく、ライン単位でも行える。ライン単位で第一の色差信号にコピー禁止情報を入れる場合は、前ラインの第一の色差信号を合成する。この場合も、前ラインの色差信号を用いてコピー禁止情報と合成するため、合成とその解除が容易に行える。
ここでは、コピー禁止情報を重畳した第一の色差信号に対してのみ前フィールドまたは前ラインの色差信号を合成する例を示したが、第一の色差信号にコピー禁止情報などの情報データが重畳されていることを示す第二の色差信号においても同様の合成を施すことが有効である。
【００３９】
このように、本実施の形態２のコピー防止方法及びデジタル放送受信装置によれば、コピー禁止情報に前フィールドの色差信号を合成した信号を重畳したので、さらに色差信号にコピー禁止の情報が重畳されていることが視聴者の目に認識されにくい、映像信号を実現することができる。また、合成された信号の解除も、前フィールドの色差信号を用いて容易に行うことができる。
【００４０】
（実施の形態３）
以下に、請求項９、及び請求項１０に対応する、本発明の実施の形態３におけるコピー防止方法及びデジタル放送受信装置について、図５を用いて説明する。図５は、本発明の実施の形態３におけるデジタル放送受信装置のブロック図である。１０は、コピー防止処理を施す周期を制御する、情報付加制御部である。実施の形態３におけるデジタル放送受信装置のその他の構成は、実施の形態１の構成と同一である。
【００４１】
まず、本実施の形態３におけるコピー防止方法について説明する。
上述したように第一の色差信号にコピー禁止情報を、第二の色差信号に第一の色差信号にコピー禁止情報などの情報データが重畳されていることを示す信号を重畳するとき、一定間隔でこれらの信号が重畳されてしまうと、視聴者の目に認識されやすくなる。そこで、これらの信号を重畳する場合、不定間隔で重畳する。不規則にこれらの信号を重畳することにより一定間隔で重畳する場合に比べ視聴者に認識されないようにすることができる。
【００４２】
次に、本実施の形態３におけるデジタル放送受信装置の動作について説明する。
コピーガード検出部１で入力映像データがコピー禁止映像であることを検出すると、情報付加制御部１０にＭＰＥＧＤｅｃｏｄｅｒ３から出力するコンポーネントの映像信号にコピー防止を施すように信号を送る。情報付加制御部１０はこの信号を受け取ると、前述したコピー防止を施す信号を不定間隔で情報付加部２に送る。これにより、上述したコピー防止処理を不規則に色差信号に重畳することができる。
【００４３】
なお、実施の形態２に情報付加制御部１０を加えたものにおいては、情報付加制御部１０はＭＰＥＧＤｅｃｏｄｅｒ３から出力するコンポーネントの映像信号を受け取ると、前述したコピー防止を施す信号を不定間隔で情報付加部２と色差信号合成部９に送る。
このように、本実施の形態３のコピー防止方法及びデジタル放送受信装置によれば、コピー禁止情報を不定間隔で色差信号に重畳することで、該情報が重畳されていることを、実施の形態１及び実施の形態２の場合よりもさらに視聴者に認識されにくくすることができる。
【００４４】
（実施の形態４）
以下に、本発明の実施の形態４におけるコピー防止方法及びデジタル放送受信装置について、図６、７を用いて説明する。
図６において、１１は通常の三値信号、１２は反転させた三値信号を示している。
【００４５】
図７は、本発明の実施の形態４におけるデジタル放送受信装置のブロック図である。１はコピーガード検出部、３はＭＰＥＧＤｅｃｏｄｅｒ、１３は三値の同期信号を反転させた輝度信号を出力する同期信号反転部である。
【００４６】
まず、図６を用いて本実施の形態４におけるコピー防止方法について説明する。
コンポーネントの映像信号を出力する場合、輝度信号に入っている同期信号には通常三値信号１１が使用される。この三値の同期信号を反転させ、反転した同期信号１２をつくる。ＴＶ側では、反転された三値の同期信号１２を検出するともう一度この同期信号を反転させ元に戻して出力する。記録装置側では、反転された同期信号１２を検出すると記録を行わずコピー禁止処理をおこなう。これによりコピーを防止する。
【００４７】
次に、図７を用いて本実施の形態４におけるデジタル放送受信装置の動作を説明する。
コピーガード検出部１でコピー禁止映像であることを検出すると、コピーガード検出部１から同期信号反転部１３に同期信号を反転するように信号を送る。同期信号反転部１３がこの信号を受け取ると、三値の同期信号１１を１２のように反転させた輝度信号を出力することにより、本発明のコピー防止方法を施したコンポーネントの映像信号を出力することができる。
【００４８】
このように、本実施の形態４のコピー防止方法及びデジタル放送受信装置によれば、色差信号及び輝度情報そのものにコピー禁止情報を重畳することがないので、表示画面上で視聴者にまったく認識されること無くコピー防止処理を施すことができる。
【００４９】
（実施の形態５）
以下に、本発明の実施の形態５におけるコピー防止方法及びデジタル放送受信装置について、図８、９を用いて説明する。
図８は、本実施の形態５におけるコピー防止を施した輝度信号及び色差信号を示している。１４は輝度信号が反転されていることを示す信号である。
【００５０】
図９は、本発明の実施の形態５におけるデジタル放送受信装置のブロック図である。１は、コピーガード検出部、３はＭＰＥＧＤｅｃｏｄｅｒ、１５は、輝度信号を反転する輝度信号反転部、１６は、色差信号の一方または両方の垂直帰線消去期間あるいは水平帰線消去期間に、輝度信号が反転されていることを示す信号を重畳する情報付加部である。
【００５１】
まず、図８を用いて本実施の形態５におけるコピー防止方法について説明する。
実施の形態４は輝度信号に入っている同期信号を反転させ、コピー防止を施した。本実施の形態５では、輝度信号にコピー防止を施す方法として、図８に示すように輝度信号を反転させる。このとき、色差信号の一方または両方の水平帰線消去期間に輝度信号が反転されている信号を重畳する。例えば、１４のように同期信号に同期して、色差信号の水平帰線消去期間にこの信号を入れる。ＴＶ側では、色差信号の水平帰線消去期間に輝度信号が反転されていることを示す信号１４を検出すると、輝度信号を反転させ元に戻す。記録装置側では、色差信号の水平帰線消去期間に輝度信号が反転されていることを示す信号１４を検出すると、この輝度信号が反転されていることを示す信号１４を削除して、反転されている輝度信号をそのまま記録するか、コピー禁止処理を行い、コピーを防止する。
【００５２】
このようにコピー防止を施された映像信号を記録し再生すると、輝度信号が反転されていることを示す信号１４が削除されているので、ＴＶ側では記録した映像に対しては輝度信号を反転したまま出力する。
また、輝度信号を反転するとき同期信号も反転してもよい。この場合、ＴＶ側で輝度信号を反転させ元に戻すとき、同期信号も反転させ元に戻す。
なお、ここでは輝度信号が反転されていることを示す信号を色差信号の水平帰線消去期間に入れたが、垂直帰線消去期間に入れてもよい。
【００５３】
次に、図９を用いて実施の形態５におけるコピー防止を施した映像信号を出力するデジタル放送受信装置の動作を説明する。
コピーガード検出部１で入力映像データがコピー禁止映像であることを検出すると、このコピーガード検出部１から輝度信号反転部１５と情報付加部１６にコピー防止を施す信号を送る。この信号を受けると、輝度信号反転部１５は輝度信号を反転し、情報付加部１６は輝度信号が反転されていることを示す信号を色差信号の一方または両方の、垂直帰線消去期間または水平帰線消去期間に重畳する。これにより、本発明のコピー防止を施したコンポーネントの映像信号を出力することができる。
【００５４】
このように、本実施の形態５のコピー防止方法及びデジタル放送受信装置によれば、通常画面表示時は、視聴者にコピー禁止情報が重畳されていることをまったく認識されること無く画面表示を行うことができる。コピーされた映像を再生した時は、画面上には輝度反転した映像を表示させ、コピーされた映像と判別することができる。
【００５５】
（実施の形態６）
以下に、本発明の実施の形態５におけるコピー防止方法及びデジタル放送受信装置について、図１０、１１、１２、１３及び１４を用いて、本発明の実施の形態６におけるコピー防止方法及びデジタル放送受信装置について説明する。
【００５６】
図１０は、垂直帰線消去期間を含む輝度信号を示す。
図１１は実施の形態６におけるフィールド単位でコピー防止を施した輝度信号を示す。また、図１２は、水平帰線消去期間を含む輝度信号を示し、図１３は、実施の形態６におけるライン単位でコピー防止を施した輝度信号を示す。
【００５７】
図１１において、１７は、コピー禁止映像、１８は、コピー禁止映像が入れられていることを示す信号である。
図１４において、１は、コピーガード検出回路、３はＭＰＥＧＤｅｃｏｄｅｒ、１９は、輝度信号あるいは色差信号の一方または両方に、コピー禁止映像が重畳されていることを示す信号を重畳する情報付加部、２０は、コピー禁止映像を輝度信号と色差信号に挿入するコピー禁止映像挿入部である。
【００５８】
まず、図１０、１１、１２及び１３を用いて実施の形態６におけるコピー防止方法について説明する。
映像信号には、垂直帰線消去期間と水平帰線消去期間があり、この部分はモニタに表示されない部分である。
【００５９】
図１０に示すように、垂直帰線消去期間には通常データが入っていないので、等化期間直後から映像が始まるまでの区間と映像終了後から等化期間が始まるまでの期間分だけ映像データを遅らせたり早めることができる。よって、この期間分コピー禁止映像を重畳することが可能になる。そこで図１１のようにフィールドの映像有効期間の上部または下部にコピー禁止映像１７を重畳し、コピー禁止映像１７を重畳した分だけ通常の映像データをフィールドの下部または上部に開始位置を遅らせるか早めるかする。このコピー禁止映像を重畳するとき、輝度信号もしくは色差信号の一方または両方の垂直帰線消去期間に、フィールドの映像有効期間の上部または下部にコピー禁止映像が重畳されていることを示す信号を重畳する。例えば、１８のように輝度信号の垂直帰線消去期間にこの信号を入れる。ＴＶ側では、コピー禁止映像が重畳されていることを示す信号を検出すると、コピー禁止映像を削除してフィールドの映像有効期間に通常の映像部分を戻し、図１０に示すような信号に戻す。記録装置側では、コピー禁止映像がフィールドの映像有効期間の上部または下部に重畳されていることを示す信号を検出すると、該信号を削除して記録するかコピー禁止処理を行い、不正コピーを防止する。このようなコピー防止を施された映像信号を記録し再生すると、コピー禁止映像がフィールドの映像有効期間の上部または下部に入れられていることを示す信号が削除されているので、モニタの上部または下部にコピー禁止映像が映し出されるようになる。
【００６０】
また、水平帰線消去期間には図１２に示すようにフロントポーチ及びバックポーチの、映像がない部分があるので、図１３のようにラインの上端または下端にコピー禁止映像を重畳することができる。この場合フロントポーチまたはバックポーチの期間だけコピー禁止映像を重畳することができる。またこの場合も輝度信号もしくは色差信号の一方または両方の垂直帰線消去期間に、ラインの映像有効期間の上端または下端にコピー禁止映像が重畳されていることを示す信号を重畳する。これにより、フィールドの映像有効期間の上端または下端にコピー禁止映像を重畳したときと同じようにコピーを防止することができる。この場合、記録した映像を再生するとコピー禁止映像がモニタの左側または右側に表示される。
なお、コピー禁止映像が重畳されていることを示す信号は、垂直帰線消去期間でなく水平帰線消去期間に入れてもよい。
【００６１】
次に、図１４を用いて実施の形態６におけるコピー防止を施した映像信号を出力するデジタル放送受信装置について説明する。
実施の形態６におけるデジタル放送受信装置の動作を説明する。
コピーガード検出部１で入力映像データがコピー禁止映像であることを検出すると、このコピーガード検出部１から情報付加部１９とコピー禁止映像挿入部２０にコピー防止を施す信号を送る。この信号を受けると、情報付加部１９は、コピー禁止映像が重畳されていることを示す信号を、輝度信号もしくは色差信号の一方または両方の垂直帰線消去期間または水平帰線消去期間に重畳し、コピー禁止映像挿入部２０は前述したように輝度信号と色差信号にコピー禁止映像を挿入する処理を行う。これにより、本発明のコピー防止を施したコンポーネントの映像信号を出力することができる。
このように、本実施の形態６のコピー防止方法及びデジタル放送受信装置によれば、コピーされた映像を再生表示する時は、画面上の上下左右いずれかの部分にコピー禁止映像を映し出すことができる。
【００６２】
【発明の効果】
以上のように、本発明の請求項１にかかるコピー防止方法によれば、輝度信号と２つの色差信号からなるコンポーネント映像信号に対し、デジタル放送受信側では、上記２つの色差信号の一方を、コピー禁止映像であることを示すコピー禁止情報に置き換え、もう一方の色差信号を、該他方の色差信号が上記コピー禁止情報に置き換えられていることを示す信号に置き換え、記録装置側では、上記２つの色差信号の一つに、他方の色差信号が上記コピー禁止情報に置き換えられていることを示す信号を検出すると、該他方の色差信号を解析して上記コピー禁止情報を検出した場合、記録を行わずコピー禁止処理を行うので、コピー禁止の映像をコピーされることを防ぐことができるという効果を得られる。
【００６３】
また、本発明の請求項２にかかるデジタル放送受信装置によれば、入力映像データがコピー禁止映像であるかどうかを検出するコピーガード検出部と、上記コピーガード検出部で入力映像データがコピー禁止映像であることを検出すると、２つの色差信号の一方を、コピー禁止映像であることを示すコピー禁止情報に置き換え、他方の色差信号を、上記一方の色差信号が上記コピー禁止情報に置き換えられていることを示す信号に置き換える情報付加部とを備えたので、コピー禁止の映像データを受信した場合、請求項１に記載のコピー防止を色差信号に施したコンポーネント信号を出力することができるという効果を得られる。
【００６４】
また、請求項３にかかるコピー防止方法によれば、請求項１に記載のコピー防止方法において、上記２つの色差信号の一方を、上記コピー禁止情報に置き換え、他方の色差信号を、上記一方の色差信号が上記コピー禁止情報に置き換えられていることを示す信号に置き換えることを、フィールド単位またはライン単位で行うので、コピー禁止情報を効率良く重畳できるという効果を得られる。
【００６５】
また、請求項４にかかるデジタル放送受信装置によれば、請求項２に記載のデジタル放送受信装置において、上記２つの色差信号の一方を、上記コピー禁止情報に置き換え、他方の色差信号を、上記一方の色差信号が上記コピー禁止情報に置き換えられていることを示す信号に置き換えることを、上記情報付加部はフィールド単位またはライン単位で行うので、請求項３に記載のコピー禁止情報を色差信号に施したコンポーネント信号を出力することができるという効果を得られる。
【００６６】
また、請求項５および請求項７にかかるコピー防止方法によれば、請求項１に記載のコピー防止方法において、２つの色差信号の一方を上記コピー禁止情報に、他方の色差信号を、上記一方の色差信号が上記コピー禁止情報に置き換えられていることを示す信号に、フィールド単位又はライン単位で置き換えした後、上記置き換えを行ったフィールド又はラインの色差信号に、一つ前のフィールド又はラインの色差信号を合成するので、ＴＶ側で映し出されたときの映像の乱れを抑え、コピー禁止情報が色差信号に重畳されていることを視聴者の目に認識されないようにするという効果を得られる。
【００６７】
また、請求項６および請求項８にかかるデジタル放送受信装置によれば、請求項２に記載のデジタル放送受信装置において、２つの色差信号の一方を上記コピー禁止情報に、他方の色差信号を、上記一方の色差信号が上記コピー禁止情報に置き換えられていることを示す信号に、フィールド単位又はライン単位で置き換えした後、上記置き換えを行ったフィールド又はラインの色差信号に、一つ前のフィールド又はラインの色差信号を合成する色差信号合成部を備えたので、請求項５および請求項７に記載のコピー禁止情報を色差信号に施したコンポーネント信号を出力することができるという効果を得られる。
【００６８】
また、請求項９にかかるコピー防止方法によれば、請求項１、３、５または７のいずれかに記載のコピー防止方法において、上記２つの色差信号の一方を上記コピー禁止情報に置き換え、もう一方の色差信号を、該他方の色差信号が上記コピー禁止情報に置き換えられていることを示す信号に置き換えるとき、それらを不定期間隔で置き換えるので、ＴＶ側で映し出されたときに、コピー禁止情報などを重畳したことを視聴者の目に認識されないようにするという効果を得られる。
【００６９】
また、請求項１０にかかるデジタル放送受信装置によれば、請求項２、４、６または８のいずれかに記載のデジタル放送受信装置において、上記２つの色差信号の一方を上記コピー禁止情報に置き換え、もう一方の色差信号を、該他方の色差信号が上記コピー禁止情報に置き換えられていることを示す信号に置き換えるとき、それらを不定期間隔で置き換えするように制御する付加信号制御部を備えたので、ＴＶ側で映し出されたときに、コピー禁止情報などを重畳したことを、視聴者の目に認識されないようにした、コンポーネントの映像信号を出力することができるという効果を得られる。
【図面の簡単な説明】
【図１】実施の形態１におけるコピー防止を施したコンポーネント映像信号を出力するデジタル放送受信装置。
【図２】実施の形態１におけるコピー防止を施した輝度信号及び色差信号の波形図。
【図３】実施の形態２における第一の色差信号の波形図。
【図４】実施の形態２におけるコピー防止を施したコンポーネント映像信号を出力するデジタル放送受信装置を示す図。
【図５】実施の形態３におけるコピー防止を施したコンポーネント映像信号を出力するデジタル放送受信装置を示す図。
【図６】通常の三値信号と反転させた三値信号を示す図。
【図７】実施の形態４におけるコピー防止を施したコンポーネント映像信号を出力するデジタル放送受信装置を示す図。
【図８】実施の形態５におけるコピー防止を施した輝度信号及び色差信号を示す図。
【図９】実施の形態５におけるコピー防止を施したコンポーネント映像信号を出力するデジタル放送受信装置を示す図。
【図１０】垂直帰線消去期間を含む輝度信号を示す図。
【図１１】実施の形態６におけるフィールド単位でコピー防止を施した輝度信号を示す図。
【図１２】水平帰線消去期間を含む輝度信号を示す図。
【図１３】実施の形態６におけるライン単位でコピー防止を施した輝度信号を示す図。
【図１４】実施の形態６におけるコピー防止を施したコンポーネント映像信号を出力するデジタル放送受信装置を示す図。
【図１５】従来のコンポーネント映像信号の出力図。
【符号の説明】
１  コピーガード検出部
２  情報付加部
３  ＭＰＥＧデコーダ
４  同期信号
５  コピー禁止情報データ
６  他方の色差信号にコピー禁止などの情報データが重畳されていることを示す信号
７  前フィールドの色差信号
８  前フィールドの色差信号とコピー禁止情報を合成した信号
９  色差信号合成部
１０  情報付加制御部
１１  通常の三値信号
１２  反転した三値信号
１３  同期信号反転部
１４  輝度信号が反転されていることを示す信号
１５  輝度信号反転部
１６  情報付加部
１７  コピー禁止映像
１８  コピー禁止映像が入れられていることを示す信号
１９  情報付加部
２０  コピー禁止映像挿入部
２１  ＴＶモニタ
２２  記録装置
【図１】
0003666570.tif 000002
【図２】
0003666570.tif 000003
【図３】
0003666570.tif 000004
【図４】
0003666570.tif 000005
【図５】
0003666570.tif 000006
【図６】
0003666570.tif 000007
【図７】
0003666570.tif 000008
【図８】
0003666570.tif 000009
【図９】
0003666570.tif 000010
【図１０】
0003666570.tif 000011
【図１１】
0003666570.tif 000012
【図１２】
0003666570.tif 000013
【図１３】
0003666570.tif 000014
【図１４】
0003666570.tif 000015
【図１５】
0003666570.tif 000016